(57)【要約】【課題】固定端末に対するページング信号の送信量を十分に抑制する。【解決手段】システムは、セルを備える複数の基地局の少なくともいずれかを介して端末と接続される装置を備える。その装置は、前記端末宛ての着信呼が入力されると、前記端末が、所定位置に位置する特定端末か否かを判別する第１の判別を行う判別部と、前記第１の判別の結果が肯定的である場合には、前記端末が在圏する前記セルを備える所定の前記基地局にのみ、前記端末を呼び出すページング信号を送信する呼出部と、を備える。【選択図】      図１４
2018056897.tif 000002
【特許請求の範囲】
【請求項１】
セルを備える複数の基地局の少なくともいずれかを介して端末と接続される装置であって、
前記端末宛ての着信呼が入力されると、前記端末が、所定位置に位置する特定端末か否かを判別する第１の判別を行う判別部と、
前記第１の判別の結果が肯定的である場合には、前記端末が在圏する前記セルを備える所定の前記基地局にのみ、前記端末を呼び出すページング信号を送信する呼出部と、を備える、
ことを特徴とする装置。
【請求項２】
前記端末を示す端末識別子、前記端末が前記特定端末であることを示す特定情報、及び前記端末が在圏するセルを示すセル識別子を対応づけて記憶する位置登録部を備え、
前記第１の判別は、入力された着信呼から抽出した前記端末識別子に対応して前記特定情報を記憶しているか否かの判別であり、
前記所定の基地局は、前記セル識別子が示すセルを備える基地局である、
ことを特徴とする請求項１に記載の装置。
【請求項３】
前記位置登録部は、前記基地局を介して前記端末より受信した位置登録メッセージから抽出した前記端末識別子、前記特定情報、及び前記セル識別子を対応づけて記憶手段に記憶し、
前記第１の判別は、前記着信呼から抽出した前記端末識別子に対応して前記特定情報を前記記憶手段に記憶しているか否かの判別であり、
前記所定の基地局は、前記着信呼から抽出した前記端末識別子に対応して前記記憶手段に記憶される前記セル識別子が示すセルを備える基地局である、
ことを特徴とする請求項２に記載の装置。
【請求項４】
前記端末の所有者が保持する通信機器と接続され、
前記位置登録部は、受信した前記位置登録メッセージから抽出した前記端末識別子に対応して前記記憶手段に記憶される前記セル識別子と、受信した前記位置登録メッセージから抽出した前記セル識別子と、が異なるか否かを判別する第２の判別を行い、
前記呼出部は、前記第２の判別の結果が肯定的である場合には、前記端末の移動を知らせる信号を前記通信機器に送信する、
ことを特徴とする請求項３に記載の装置。
【請求項５】
前記位置登録部は、受信した前記位置登録メッセージから抽出した、前記端末が位置するエリアを示す位置登録エリア情報及び前記端末識別子を対応づけて前記記憶手段に記憶し、新たに受信した前記位置登録メッセージから前記位置登録エリア情報及び前記端末識別子を抽出すると、抽出した前記位置登録エリア情報と、抽出した前記端末識別子と対応づけて前記記憶手段に記憶する前記位置登録エリア情報と、が異なるか否かを判別する第３の判別を行い、
前記呼出部は、前記第３の判別の結果が肯定的である場合には、前記端末の移動を知らせる信号を前記通信機器に送信する、
ことを特徴とする請求項４に記載の装置。
【請求項６】
前記特定端末は、前記所定位置に留まる端末である、
ことを特徴とする請求項１乃至５のいずれか１項に記載の装置。
【請求項７】
請求項１乃至６のいずれか１項に記載の装置と、前記基地局と、を含む、
ことを特徴とするシステム。
【請求項８】
前記端末を含む、
ことを特徴とする請求項７に記載のシステム。
【請求項９】
セルを備える複数の基地局の少なくともいずれかを介して端末と接続される装置の処理方法であって、
前記端末宛ての着信呼が入力されると、前記端末が、所定位置に位置する特定端末か否かを判別する第１の判別を行う判別ステップと、
前記第１の判別の結果が肯定的である場合には、前記端末が在圏する前記セルを備える所定の前記基地局にのみ、前記端末を呼び出すページング信号を送信する呼出ステップと、
を有することを特徴とする方法。
【請求項１０】
セルを備える複数の基地局の少なくともいずれかを介して端末と接続される装置に実装されたプロセッサに、
前記端末宛ての着信呼が入力されると、前記端末が、所定位置に位置する特定端末か否かを判別する第１の判別を行う判別処理と、
前記第１の判別の結果が肯定的である場合には、前記端末が在圏する前記セルを備える所定の前記基地局にのみ、前記端末を呼び出すページング信号を送信する呼出処理と、
を行わせるためのプログラム。
【発明の詳細な説明】
【技術分野】
【０００１】
本発明は、装置、システム、方法、及びプログラムに関し、特に、端末を呼び出す装置、システム、方法、及びプログラムに関する。
【背景技術】
【０００２】
図１、図２は、一般的な移動体通信システムの動作を説明する為の図である。
【０００３】
一般的に、移動体通信システムは、端末に着信があった場合、その端末を呼び出す処理を行う。端末を呼び出す為に、移動体通信システムは、端末が位置するエリアを管理する。具体的には、移動体通信システムは、図１に示されるように、端末から、その端末が位置する位置登録エリアを示す情報が通知されるので、その情報をＨＳＳ（Ｈｏｍｅ  Ｓｕｂｓｃｒｉｂｅｒ  Ｓｅｒｖｅｒ）内に登録する。位置登録エリアは、一般的に複数のセルから構成される。位置登録エリアを示す情報を登録する動作は、一般的に位置登録動作と呼ばれる。
【０００４】
次に、移動体通信システムは、図２に示されるように、端末に着信があった場合、その端末を呼び出す為、ＨＳＳ内に登録された情報が示す位置登録エリア内のセル全てにページング信号を送信する。ページング信号は、端末の呼び出しを行う信号である。端末は、ページング信号を受信すると、着信音を鳴らし、発信元端末と接続する呼接続処理を行う。
【０００５】
しかし、位置登録エリア内の複数のセル全てにページング信号を送信することは、移動体通信システムに負荷を与える。その為に、ページング信号の送信量を抑制する移動体通信システムが開示されている。
【０００６】
例えば、ページング信号の送信量を抑制する移動体通信システムは、以下の特許文献１に開示されている。図３は、特許文献１の移動体通信システムの構成例を示す図である。
【０００７】
（１）特許文献１の移動体通信システムについての説明
特許文献１の移動体通信システムは、図３に示されるように、位置管理サーバ９０と、交換機９１と、基地局９２と、基地局９３と、移動機９４と、を備える。位置管理サーバ９０は、図示していないが、記憶部９０１を備える。基地局９２と基地局９３は、各々、セルを備える。
【０００８】
（１−１）位置登録動作
移動機９４は、所定のタイミングに、自機の端末ＩＤと、現在位置に対応する位置登録エリア情報と、を含む位置登録要求を基地局９３に送信する。送信された位置登録要求は基地局９３と交換機９１を経由して位置管理サーバ９０まで伝送される。位置管理サーバ９０は、送られてきた位置登録要求から端末ＩＤと位置登録エリア情報を抽出し、これら情報を関連付けて記憶部９０１に記憶する。
【０００９】
次に、基地局９３は、自機に備わるセルを示すセル情報と、該セルに位置する移動機９４を識別する端末ＩＤと、を（交換機９１を経由して）位置管理サーバ９０に送信する。位置管理サーバ９０は、基地局９３から受信したセル情報と端末ＩＤを関連づけて記憶部９０１に記憶する。
【００１０】
（１―２）呼び出し動作（１回目のページング信号の送信）
その後、交換機９１に、接続する上位装置（図示せず）から着信要求が入力されたとする。着信要求は、移動機９４を呼び出す信号である。
【００１１】
交換機９１は、着信要求が入力されると、入力された着信要求から移動機９４の端末ＩＤを抽出し、抽出した端末ＩＤを位置管理サーバ９０に送信する。位置管理サーバ９０は、交換機９１から受信した端末ＩＤに対応するセル情報と位置登録エリア情報を記憶部９０１から読み出す。さらに、位置管理サーバ９０は、読み出したセル情報が示すセル、すなわち基地局９３のセルに、移動機９４が位置していると推定する。位置管理サーバ９０は、読み出したセル情報と位置登録エリア情報を交換機９１に送信する。
【００１２】
交換機９１は、受信したセル情報に示されるセル、すなわち、移動機９４が現在位置していると推定される基地局９３のセルに対し、ページング信号を送信する。移動機９４は、ページング信号を受信すると、応答を（基地局９３を介して）交換機９１に返す。交換機９１は、移動機９４からの応答を受信すると、発信元の端末（図示せず）と移動機９４を接続する呼接続処理を行う。
【００１３】
（１−３）呼び出し動作（２回目のページング信号の送信）
一方、交換機９１は、移動機９４から応答がなかった場合は、位置管理サーバ９０から受信した位置登録エリア情報が示す位置登録エリア（すなわち、基地局９３のセルを含む複数のセル）全てにページング信号を送信する。
【００１４】
上述の構成や動作の通り、特許文献１のシステムは、位置登録エリアが１００個のセルから構成される場合、１回目のページング信号の送信で移動機９４から応答を受信できれば、ページング信号の送信量を１００分の１にすることができる。移動機９４にページング信号が届いたので、それ以上、ページング信号を送信する必要がないからである。その結果、特許文献１の移動通信システムは、ページング信号の送信量を抑制することができる。
【先行技術文献】
【特許文献】
【００１５】
【特許文献１】特開２００２−１０４６００号公報
【発明の概要】
【発明が解決しようとする課題】
【００１６】
ところで、今後、ＩｏＴ（Ｉｎｔｅｒｎｅｔ  ｏｆ  Ｔｈｉｎｇｓ）の普及が想定される。その為に、端末が移動することを前提とする一般的な移動体通信システムにも、移動しないＩｏＴ端末が備わることが想定される。移動しない端末（以下、「固定端末」という）は、機械に取り付けられている等の理由により、同じ位置に留まり続ける端末である。
【００１７】
しかし、特許文献１の移動体通信システムは、固定端末に対するページング信号の送信量を十分に抑制できないという課題があった。
【００１８】
その理由を以下に説明する。
【００１９】
まず、特許文献１のシステムは、固定端末の位置するセルを推定し、推定したセルにページング信号を送信し、応答を受信する。しかし、特許文献１のシステムは、応答を受信できるとは限らない。応答は、通信品質が変動する無線区間を経由するからである。特許文献１のシステムは、無線区間の通信品質が悪く、応答を受信できない場合は、複数のセル全てにページング信号を送信してしまう。すなわち、特許文献１の移動体通信システムは、固定端末が位置する単一のセルにだけページング信号を送信すればよいのに、複数のセルにページング信号を送信してしまう場合がある。特許文献１の移動体通信システムは、固定端末が位置するセル以外のセルに無駄にページング信号を送信してしまう。その結果、特許文献１の移動体通信システムは、固定端末に対するページング信号の送信量を十分に抑制できていないという課題があった。
【００２０】
本発明は、上記課題を解決する装置、システム、方法、及びプログラムを提供することを目的とする。
【課題を解決するための手段】
【００２１】
上記目的を達成するために、本発明の装置は、セルを備える複数の基地局の少なくともいずれかを介して端末と接続される装置であって、前記端末宛ての着信呼が入力されると、前記端末が、所定位置に位置する特定端末か否かを判別する第１の判別を行う判別部と、前記第１の判別の結果が肯定的である場合には、前記端末が在圏する前記セルを備える所定の前記基地局にのみ、前記端末を呼び出すページング信号を送信する呼出部と、を備える。
【００２２】
上記目的を達成するために、本発明のシステムは、セルを備える複数の基地局の少なくともいずれかを介して端末と接続される装置であって、前記端末宛ての着信呼が入力されると、前記端末が、所定位置に位置する特定端末か否かを判別する第１の判別を行う判別部と、前記第１の判別の結果が肯定的である場合には、前記端末が在圏する前記セルを備える所定の前記基地局にのみ、前記端末を呼び出すページング信号を送信する呼出部と、を備える装置と、前記基地局と、を含む。
【００２３】
上記目的を達成するために、本発明の方法は、セルを備える複数の基地局の少なくともいずれかを介して端末と接続される装置の処理方法であって、前記端末宛ての着信呼が入力されると、前記端末が、所定位置に位置する特定端末か否かを判別する第１の判別を行う判別ステップと、前記第１の判別の結果が肯定的である場合には、前記端末が在圏する前記セルを備える所定の前記基地局にのみ、前記端末を呼び出すページング信号を送信する呼出ステップと、を有する。
【００２４】
上記目的を達成するために、本発明のプログラムは、セルを備える複数の基地局の少なくともいずれかを介して端末と接続される装置に実装されたプロセッサに、前記端末宛ての着信呼が入力されると、前記端末が、所定位置に位置する特定端末か否かを判別する第１の判別を行う判別処理と、前記第１の判別の結果が肯定的である場合には、前記端末が在圏する前記セルを備える所定の前記基地局にのみ、前記端末を呼び出すページング信号を送信する呼出処理と、を行わせるためのプログラムである。
【発明の効果】
【００２５】
本発明によれば、システムは、所定位置に位置する端末（例えば、固定端末）に対するページング信号の送信量を十分に抑制できる。
【図面の簡単な説明】
【００２６】
【図１】一般的な移動体通信システムの動作（位置登録動作）を説明する為の図である。
【図２】一般的な移動体通信システムの動作（呼び出し動作）を説明する為の図である。
【図３】特許文献１の移動体通信システムの構成例を示す図である。
【図４】本発明の第１の実施の形態におけるシステムの構成例を示す図である。
【図５】本発明の第１の実施の形態におけるシステムに設定されるテーブルの一例を示す図である。
【図６】本発明の第１の実施の形態におけるシステムの動作（位置登録動作）の概要を説明する為の図である。
【図７】本発明の第１の実施の形態におけるシステムの動作（位置登録動作）の詳細を説明する為の図である。
【図８】本発明の第１の実施の形態におけるシステムの動作（呼び出し動作）の概要を説明する為の図である。
【図９】本発明の第１の実施の形態におけるシステムの動作（呼び出し動作）の詳細を説明する為の図である。
【図１０】本発明の第１の実施の形態におけるシステムに備わるＭＭＥ（Ｍｏｂｉｌｉｔｙ  Ｍａｎａｇｅｍｅｎｔ  Ｅｎｔｉｔｙ）の一構成例を示す図である。
【図１１】本発明の第２の実施の形態におけるシステムの構成例を示す図である。
【図１２】本発明の第２の実施の形態におけるシステムの動作概略を説明する為の図である。
【図１３】本発明の第２の実施の形態におけるシステムの動作詳細を説明する為の図である。
【図１４】本発明の第３の実施の形態におけるシステムの構成例を示す図である。
【発明を実施するための形態】
【００２７】
次に本発明の実施形態について、図面を参照して詳細に説明する。
【００２８】
≪第１の実施の形態≫
[概要]
本実施形態のシステムは、端末に着信があった場合、該端末が固定端末か否かを判別する。本実施形態のシステムは、端末が固定端末であると判別した場合、その固定端末が在圏する所定のセルにのみページング信号を送信する。
【００２９】
本実施形態のシステムは、特許文献１のシステムとは異なり、固定端末が在圏するセル以外のセルにはページング信号を送信しないので、固定端末に対するページング信号の送信量を抑制できる。
【００３０】
以下に、本発明の第１の実施の形態におけるシステムの構成や機能、動作について説明する。
【００３１】
［構成の説明］
まず、本発明の第１の実施の形態におけるシステムの構成と機能について説明する。図４は、本発明の第１の実施の形態におけるシステムの構成例を示す図である。図５は、本発明の第１の実施の形態におけるシステムに設定される情報の一例を示す図である。
【００３２】
（１）本発明の第１の実施の形態におけるシステムの構成
本実施形態のシステムは、図４に示されるように、ＭＭＥ１と、ＨＳＳ２と、上位ネットワーク３と、基地局４＿１〜４＿３と、端末５と、を備える。ＭＭＥは、Ｍｏｂｉｌｉｔｙ  Ｍａｎａｇｅｍｅｎｔ  Ｅｎｔｉｔｙの略称であり、ＨＳＳは、Ｈｏｍｅ  Ｓｕｂｓｃｒｉｂｅｒ  Ｓｅｒｖｅｒの略称である。
【００３３】
基地局４＿１〜４＿３は、それぞれセル４０＿１〜４０＿３を備える。端末５は、セル４０＿１内に在圏し、移動しない固定端末である。端末５は、セル４０＿１内の工場の床に固定された（移動することのない）機械に設置されたＩｏＴ（Ｉｎｔｅｒｎｅｔ  ｏｆ  Ｔｈｉｎｇｓ）端末であってもよい。上述の「移動しない」とは、機械に取り付けられている等の理由により、同じ位置に留まり続けることを意味する。
【００３４】
ＭＭＥ１は、ＨＳＳ２、上位ネットワーク３、及び基地局４＿１〜４＿３と有線回線を介して接続される。基地局４＿１は、無線回線を介して端末５と接続される。
【００３５】
（２）本発明の第１の実施の形態におけるシステムを構成する各装置の機能
端末５は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）に準拠して動作する一般的な端末機能を備える。例えば、端末５は、電源投入時に、位置登録メッセージを基地局４＿１に送信する位置登録機能を備える。位置登録メッセージは、端末５が位置する位置登録エリアを示す位置登録エリア情報と、端末５を示す端末識別子と、を含むメッセージである。
【００３６】
位置登録エリアは、３ＧＰＰ上、ＴＡ（Ｔｒａｃｋｉｎｇ  Ａｒｅａ）として規定され、位置登録エリア情報は、ＴＡＩ（Ｔｒａｃｋｉｎｇ  Ａｒｅａ  Ｉｄｅｎｔｉｔｙ）として規定されている。
【００３７】
ＭＭＥ１、ＨＳＳ２、及び基地局４＿１〜４＿３も、各々、３ＧＰＰに準拠して動作する一般的なＭＭＥ機能、ＨＳＳ機能、及び基地局機能を備える。例えば、基地局４＿１〜４＿３は、端末５から受信した位置登録メッセージをＭＭＥ１に送信する。ＭＭＥ１は、受信した位置登録メッセージから位置登録エリア情報と端末識別子を抽出し、それらを対応づけてＨＳＳ２に登録する。
【００３８】
上述以外の各装置の機能については、後述の［動作の説明］にて詳細に説明する。なお、後述の［動作の説明］では、ＭＭＥ１に、図５に示されるテーブルが設定され、さらに、端末５に、移動しない固定端末であることを示す情報(以下、「固定情報」という)が設定されていることを前提に説明する。
【００３９】
図５に示されるテーブルは、ＭＭＥ１に接続される基地局４＿１〜４＿３各々について、該基地局を示す基地局ＩＤと、該基地局に備わるセルを示すセルＩＤ（Ｉｄｅｎｔｉｆｉｅｒ）と、が対応づけられたテーブルである。図５に示されるテーブルは、本実施形態のシステムの管理者によりＭＭＥ１に設定される。
【００４０】
図５に示されるテーブルの上述の基地局ＩＤは、以下、３ＧＰＰに規定されるｅＮｏｄｅＢ（ｅｖｏｌｖｅｄ  Ｎｏｄｅ  Ｂ）ＩＤであるものとする。また、上述のセルＩＤは、３ＧＰＰに規定されるＰＣＩ（Ｐｈｙｓｉｃａｌ  Ｃｅｌｌ  Ｉｄｅｎｔｉｔｙ）であるものとする。
【００４１】
さらに、端末５に設定される固定情報は、移動しない端末であることを示す番号であり、以下、番号７４４であってもよい。固定情報は、本実施形態のシステムの管理者によって決められ、端末５の製造者に通知される。端末５の製造者は、通知された情報を固定情報として端末５に設定する。
【００４２】
［動作の説明］
図６、図７は、本発明の第１の実施の形態におけるシステムの動作（位置登録動作）を説明する為の図である。図８、図９は、本発明の第１の実施の形態におけるシステムの動作（呼び出し動作）を説明する為の図である。図６〜図９を用いて、本実施形態のシステムの動作を以下に説明する。
【００４３】
（１）位置登録動作
（１−１）動作概要
本実施形態のシステムは、図６に示されるように、端末５が移動しない固定端末であることを示す固定情報、端末５が在圏するセル４０＿１を示すセルＩＤ、及び端末５が位置する位置登録エリア情報等をＨＳＳ２に登録する。具体的には、端末５、基地局４＿１、及びＭＭＥ１が、以下の「（１−２）動作詳細」に示す動作を行う。
【００４４】
（１−２）動作詳細
まず、端末５は、電源投入時、図７に示されるように、位置登録メッセージを基地局４＿１に送信する（Ｓ１）。このとき、端末５は、端末５を示す端末識別子や位置登録エリア情報だけでなく、端末５が移動しない端末であることを示す固定情報、及び端末５が在圏するセル４０＿１を示すセルＩＤも位置登録メッセージに含めて送信する。
【００４５】
（１−２−１）送信される端末識別子、固定情報、及びセルＩＤについて
上述の端末識別子は、３ＧＰＰに規定されるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である。端末５は、自身に備わるＳＩＭ（Ｓｕｂｓｃｒｉｂｅｒ  Ｉｄｅｎｔｉｔｙ  Ｍｏｄｕｌｅ）カードからＩＭＳＩを取得することができる。
【００４６】
上述の固定情報は、端末５に予め設定されている値であり、以下、値７４４であるものとする。
【００４７】
上述のセルＩＤは、３ＧＰＰに規定されるＰＣＩである。端末５は、基地局４＿１から受信する同期信号からＰＣＩを取得することができる。同期信号は、３ＧＰＰに規定されるＳＳ（Ｓｙｎｃｈｒｏｎｉｚａｔｉｏｎ  Ｓｉｇｎａｌ）である。
【００４８】
（１−２−２）Ｓ１の次の処理
上述のＳ１の後、図７に示されるように、基地局４＿１は、端末５から受信した位置登録メッセージをＭＭＥ１に送信する（Ｓ２）。
【００４９】
次に、ＭＭＥ１は、位置登録メッセージを受信すると、一般的なＭＭＥと同様、受信した位置登録メッセージから位置登録エリア情報と端末５を示す端末識別子を抽出する（Ｓ３）。
【００５０】
次に、ＭＭＥ１は、一般的なＭＭＥと同様、抽出した位置登録エリア情報と、抽出した端末５を示す端末識別子と、を対応づけてＨＳＳ２に記憶する（Ｓ４）。
【００５１】
次に、ＭＭＥ１は、Ｓ３で受信した位置登録メッセージの中に固定情報、すなわち、値７４４が含まれているか否かを判別する（Ｓ５）。Ｓ５の処理は、位置登録メッセージを送信してきた端末５が固定端末か否かを判別するものである。
【００５２】
ここでは、受信した位置登録メッセージの中に値７４４が含まれている。その為、ＭＭＥ１は、受信した位置登録メッセージの中に値７４４（固定情報）が含まれている、すなわち、端末５が固定端末と判別したものとして説明を続ける。
【００５３】
ＭＭＥ１は、受信した位置登録メッセージの中に固定情報が含まれている場合（Ｓ５でＹｅｓの場合）、Ｓ３で受信した位置登録メッセージから固定情報、セル４０＿１を示すセルＩＤ、及び端末５を示す端末識別子を抽出する（Ｓ６）。
【００５４】
次に、ＭＭＥ１は、抽出した固定情報、セル４０＿１を示すセルＩＤ、及び端末５を示す端末識別子を対応づけてＨＳＳ２に記憶する（Ｓ７）。
【００５５】
Ｓ１〜Ｓ７の処理の結果、ＨＳＳ２には、移動しない端末５について、固定端末であることを示す固定情報と、在圏するセル４０＿１を示すセルＩＤと、端末５を示す端末識別子と、がＨＳＳ２に登録される。
【００５６】
（１−２−３）Ｓ５でＮｏの場合の処理
なお、ＭＭＥ１は、受信した位置登録メッセージの中に固定情報（すなわち、値７４４）が含まれていない場合（Ｓ５でＮｏの場合）には、特に何もせず、端末宛に着信があるのを待つ。
【００５７】
（２）呼び出し動作
（２−１）動作概要
その後、図８に示されるように、ＭＭＥ１に上位ネットワーク３から端末５宛に着信があったとする。
【００５８】
その場合、ＭＭＥ１は、端末５を呼び出す為、ページング信号を送信するが、その前に端末５が固定端末か否かを判別する。ＭＭＥ１は、端末５が固定端末であると判別したときには、固定端末５が在圏するセル４０＿１にのみページング信号を送信する。
【００５９】
上述の「（２−１）動作概要」に示される動作は、ＭＭＥ１、基地局４＿１、及び端末５が、以下の「（２−２）動作詳細」に示す動作を行うことで実現される。
【００６０】
（２−２）動作詳細
まず、ＭＭＥ１に、上位ネットワーク３から端末５宛に着信があったとする。具体的には、ＭＭＥ１に、上位ネットワーク３から端末５宛ての着信呼が入力されたとする。
【００６１】
着信呼は、例えば、３ＧＰＰに規定されるＤｏｗｎｌｉｎｋ  Ｄａｔａ  Ｎｏｔｉｆｉｃａｔｉｏｎメッセージであってもよい。着信呼は、どの端末宛のものか分かるよう、端末を示す端末識別子を含む。ここでは、着信呼は、端末５宛ての着信呼なので、端末５を示す端末識別子を含む。
【００６２】
ＭＭＥ１は、端末５宛の着信呼が入力されると、該端末５が固定端末か否かを以下のＳ１０〜Ｓ１１の通りに判別する。
【００６３】
まず、ＭＭＥ１は、図９に示されるように、入力された着信呼から端末識別子を抽出する（Ｓ１０）。ＭＭＥ１は、上述のＳ１０において、端末５を示す端末識別子を抽出する。
【００６４】
次に、ＭＭＥ１は、抽出した端末識別子が示す端末が固定端末か否かを判別する（Ｓ１１）。
【００６５】
具体的には、ＭＭＥ１は、抽出した端末識別子に対応して固定情報(値７４４)がＨＳＳ２に記憶されているか否かを判別する。より具体的には、ＭＭＥ１は、抽出した端末識別子に対応する情報をＨＳＳ２から抽出し、抽出した情報に固定情報(値７４４)が含まれているか否かを判別する。
【００６６】
ここで、ＨＳＳ２には、上述のＳ４により、端末５を示す端末識別子と対応づけて位置登録エリア情報が記憶されている。さらに、ＨＳＳ２には、上述のＳ７により、端末５を示す端末識別子と対応づけて、固定情報(値７４４)とセル４０＿１を示すセルＩＤが記憶されている。
【００６７】
その為、ＭＭＥ１は、上述のＳ１１において、抽出した端末５を示す端末識別子に対応する情報（位置登録エリア情報、固定情報、セルＩＤ）をＨＳＳ２から抽出し、抽出した情報に固定情報(値７４４)が含まれていると判別する。すなわち、ＭＭＥ１は、抽出した端末５を示す端末識別子に対応して固定情報(値７４４)がＨＳＳ２に記憶されており、端末５が固定端末であると判別する。
【００６８】
次に、ＭＭＥ１は、端末５が固定端末であると判別した場合（Ｓ１１でＹｅｓの場合）、固定端末５が在圏するセルのみにページング信号を送信する為に、まず、Ｓ１０で抽出した端末識別子に対応するセルＩＤをＨＳＳ２から取得する（Ｓ１２）。取得したセルＩＤは、固定端末５が在圏するセルを示すセルＩＤである。
【００６９】
ここでは、Ｓ１０で抽出した端末識別子は、端末５を示す端末識別子であり、ＨＳＳ２には、上述のＳ７により、端末５を示す端末識別子と対応づけて、セル４０＿１を示すセルＩＤが登録されている。その為、ＭＭＥ１は、上述のＳ１２の処理において、セル４０＿１を示すセルＩＤを取得する。
【００７０】
次に、ＭＭＥ１は、上述のＳ１２で取得したセルＩＤに対応する基地局ＩＤを、図５に示されるテーブルから抽出する（Ｓ１３）。
【００７１】
上述のＳ１３により、ＭＭＥ１は、端末５が在圏するセル４０＿１を備える基地局４＿１を示す基地局ＩＤを取得する。
【００７２】
次に、ＭＭＥ１は、Ｓ１３で抽出した基地局ＩＤが示す基地局４＿１にのみ、ページング信号を送信する（Ｓ１４）。
【００７３】
次に、基地局４＿１は、受信したページング信号をセル４０＿１内に送信する（Ｓ１５）。
【００７４】
その結果、図８に示されるように、固定端末である端末５が在圏するセル４０＿１のみにページング信号が送信される。
【００７５】
端末５は、ページング信号を受信すると、着信音を鳴し、さらに、発信元の端末（図示せず）と接続する呼接続処理を行う（Ｓ１６）。
【００７６】
（２−３）上述のＳ１０〜Ｓ１６の処理まとめ
本実施形態のシステムは、上述のＳ１０〜Ｓ１６の処理を実施し、着信のあった端末が固定端末である場合には、その固定端末が在圏するセルにのみページング信号を送信する。すなわち、本実施形態のシステムは、固定端末が在圏するセル以外のセルには無駄にページング信号を送信しない。その結果、本実施形態のシステムは、固定端末に対するページング信号の送信量を十分に抑制することができる。
【００７７】
（２−４）Ｓ１１でＮｏの場合の動作
なお、ＭＭＥ１は、上述のＳ１１において、端末が固定端末でない場合（Ｓ１１でＮｏの場合）には、一般的なＭＭＥと同じく、位置登録エリア情報が示すエリア内の複数のセル４０＿１〜４０＿３にページング信号を送信する（Ｓ１７）。
【００７８】
上述のＳ１７の処理は、具体的には以下の通りに実現されてもよい。
【００７９】
まず、ＭＭＥ１は、Ｓ１０で抽出した端末識別子に対応して記憶する位置登録エリア情報をＨＳＳ２から抽出する。
【００８０】
次に、ＭＭＥ１は、抽出した位置登録エリア情報に対応するセル４０＿１〜４０＿３を示すセルＩＤをエリア対応テーブルから取得する。
【００８１】
上述のエリア対応テーブルは、位置登録エリア情報と、その情報が示す位置登録エリアに含まれるセル４０＿１〜４０＿３のセルＩＤと、が対応づけられたテーブルである。エリア対応テーブルは、本実施形態のシステムの管理者によって予めＭＭＥ１に設定される。
【００８２】
次に、ＭＭＥ１は、取得したセル４０＿１〜４０＿３のセルＩＤ各々について、対応する基地局ＩＤを図５のテーブルから取得する。
【００８３】
次に、ＭＭＥ１は、取得する基地局ＩＤが示す基地局４＿１〜４＿３に対し、ページング信号を送信する。基地局４＿１〜４＿３は、受信したページング信号を、それぞれセル４０＿１〜４０＿３内に送信する。
【００８４】
（２−５）セルＩＤによる識別
上述のＳ１１において、ＭＭＥ１は、固定情報(値７４４)がＨＳＳ２に記憶されているか否かによって、端末５が固定端末か否かを判別した。ＭＭＥ１は、セルＩＤがＨＳＳ２に記憶されているか否かによって、端末５が固定端末か否かを判別してもよい。
【００８５】
具体的には、ＭＭＥ１は、Ｓ１０で抽出した端末５を示す端末識別子と対応づけてセルＩＤがＨＳＳ２に記憶されているか否かを判別し、セルＩＤがＨＳＳ２に記憶されている場合に、端末５が固定端末であると判別してもよい。一方、セルＩＤがＨＳＳ２に記憶されていない場合には、ＭＭＥ１は、端末５が固定端末ではないと判別してもよい。
【００８６】
上述のように、セルＩＤを用いて端末５が固定端末か否かを判別する場合には、固定情報は不要となる。
【００８７】
その為、端末５は、上述のＳ１において、固定情報を含まない位置登録メッセージを送信してもよい。すなわち、端末５は、（固定情報以外の）端末識別子、位置登録エリア情報、及びセルＩＤを含む位置登録メッセージをＭＭＥ１に送信してもよい。
【００８８】
その場合、ＭＭＥ１は、上述のＳ５において、受信した位置登録メッセージの中に、固定情報が含まれているか否かを判別する代わりに、セルＩＤ（具体的には、図５のテーブルに示されるセルＩＤのいずれか）が含まれているか否かを判別する。受信した位置登録メッセージには、固定情報が含まれていないからである。ＭＭＥ１は、受信した位置登録メッセージの中に、セルＩＤ（具体的には、図５のテーブルに示されるセルＩＤのいずれか）が含まれている場合には、上述のＳ６〜Ｓ７を実施する。そうでないときには、ＭＭＥ１は、位置登録メッセージ、若しくは着信呼の受信を待つ。
【００８９】
ＭＭＥ１は、上述のＳ６〜Ｓ７を実施する場合には、受信した位置登録メッセージから（固定情報以外の）セルＩＤと端末識別子を抽出し、抽出したセルＩＤと端末識別子を対応づけてＨＳＳ２に記憶する。
【００９０】
（２−６）一時的にセル内に位置する端末へのページング信号送信
上記では、ＭＭＥ１は、同じ位置に留まり続ける固定端末５に対してページング信号を送信した。ＭＭＥ１は、決まった時間帯に、一時的にセル４０＿１内に位置する端末（以下、「一時固定端末」という）に対してページング信号を送信してもよい。一時固定端末は、決まった時間帯に、セル４０＿１内を通る公共交通機関（例えば、電車やバス）に備えられた端末であってもよい。公共交通機関に備えられた端末は、決まった時間帯に、セル４０＿１内に位置することになるからである。
【００９１】
一時固定端末に対してページング信号を送信する場合、ＨＳＳ２には、予め本実施形態のシステムの管理者によって、
・端末を示す端末識別子と、
・該端末が一時固定端末であることを示す一時固定情報と、
・該端末が一時的に在圏するセルを示すセルＩＤと、
・該端末が一時的に在圏する時間帯と、
が対応づけて設定される。上述のセルＩＤは、セル４０＿１を示すセルＩＤであるものとして以下、説明を続ける。また、ＭＭＥ１は、１秒毎に時刻を出力する時計機能を備えるものとする。
【００９２】
ＭＭＥ１は、着信があると、以下の通り動作を行う。
【００９３】
まず、ＭＭＥ１は、Ｓ１０を行い、着信呼から端末識別子を抽出する。
【００９４】
次に、ＭＭＥ１は、Ｓ１１と同様に、抽出した端末識別子に対応して一時固定情報がＨＳＳ２に記憶されているか否か判別する。
【００９５】
次に、ＭＭＥ１は、抽出した端末識別子に対応して一時固定情報がＨＳＳ２に記憶されていると判別すると、抽出した端末識別子に対応する時間帯とセルＩＤをＨＳＳ２から抽出する。
【００９６】
次に、ＭＭＥ１は、時計機能が出力する時刻が、抽出した所定の時間帯内の時刻か否かを判別する。
【００９７】
ＭＭＥ１は、時計機能が出力する時刻が所定の時間帯内の時刻の場合、上述のＳ１３〜Ｓ１４を行い、抽出したセルＩＤが示すセル４０＿１の基地局４＿１にのみページング信号を送信する。
【００９８】
その結果、ＭＭＥ１は、一時固定端末が在圏するセル４０＿１にのみページング信号を送信することができる。
【００９９】
なお、ＭＭＥ１は、時計機能が出力する時刻が所定の時間帯内の時刻でない場合、もしくは、抽出した端末識別子に対応して一時固定情報がＨＳＳ２に記憶されていない場合は、次に着信があるのを待つ。
【０１００】
（２−７）システムで使用するＩＤや識別子等について
上記では、セルＩＤが３ＧＰＰに規定されるＰＣＩであることを前提に説明したが、これに限らない。本実施形態のシステムは、セルを識別できるものであればＰＣＩ以外の識別子をセルＩＤとして用いてもよい。
【０１０１】
また、上記では、端末識別子がＩＭＳＩであることを前提に説明したが、これに限らない。本実施形態のシステムは、ＩＭＳＩの代わりに、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）を用いてもよい。
【０１０２】
さらに、本実施形態のシステムは、固定端末である端末５を１台備える場合について説明したが、システムに備わる端末の台数は１台に限らない。本実施形態のシステムは、固定端末である端末５以外にも端末を複数備えてもよい。その場合、ＭＭＥ１は、位置登録メッセージを受信する毎に上述のＳ３〜Ｓ７の処理を行い、着信呼を受信する毎に上述のＳ１０〜Ｓ１４及びＳ１７の処理を行う。
【０１０３】
（２−８）ＭＭＥ１について
図１０は、本発明の第１の実施形態におけるシステムに備わるＭＭＥ１の一構成例を示す図である。
【０１０４】
ＭＭＥ１は、複数の機能部を備え、各機能部で分担して上述のＳ３〜Ｓ７、Ｓ１０〜Ｓ１４、及びＳ１７の処理を行ってもよい。具体的には、ＭＭＥ１は、図１０に示されるように、位置登録部１１、判別部１２、及び呼出部１３を備え、位置登録部１１が上述のＳ３〜Ｓ７の処理を行い、判別部１２が上述のＳ１０〜Ｓ１１の処理を行ってもよい。また、呼出部１３が上述のＳ１２〜Ｓ１４、及びＳ１７の処理を行ってもよい。
【０１０５】
位置登録部１１、判別部１２、及び呼出部１３は、ＣＰＵ（Ｃｅｎｔｒａｌ  Ｐｒｏｃｅｓｓｉｎｇ  Ｕｎｉｔ）等の演算処理装置と、ＲＡＭ等の一般的なメモリと、を用いて実現することができる。ＲＡＭは、Ｒａｎｄｏｍ  Ａｃｃｅｓｓ  Ｍｅｍｏｒｙの略称である。
【０１０６】
［効果の説明］
本実施形態によれば、システムは、固定端末に対するページング信号の送信量を十分に抑制できる。
【０１０７】
なぜならば、本実施形態のシステムは、端末への着信があった場合、該端末が固定端末か否かを判別し、固定端末であると判別した場合、該固定端末が在圏するセルにのみページング信号を送信するからである。本実施形態のシステムは、特許文献１のシステムと異なり、固定端末が在圏するセル以外のセルには無駄にページング信号を送信しない。その結果、本実施形態のシステムは、固定端末に対するページング信号の送信量を十分に抑制することができる。
【０１０８】
≪第２の実施の形態≫
次に、本発明の第２の実施の形態について説明する。
【０１０９】
第２の実施形態のシステムは、固定端末の移動を検出する。第２の実施形態のシステムは、（本来移動しない）固定端末の移動を検出した場合には、その旨を固定端末の所有者の端末に通知する。固定端末が盗難された可能性があるからである。
【０１１０】
固定端末の所有者は、固定端末が盗難された可能性に気づくことができ、警察に電話する等、盗難されたことが疑われる固定端末の早期発見に努めることができる。
【０１１１】
以下に、第２の実施の形態のシステムの構成と動作について説明する。図１１は、本発明の第２の実施の形態におけるシステムの構成例を示す図である。
【０１１２】
［構成の説明］
（１）第２の実施形態のシステムの構成
第２の実施形態のシステムは、図１１に示されるように、ＭＭＥ１の代わりにＭＭＥ６を備える。さらに、第２の実施形態のシステムは、基地局７＿１と端末８を備える。基地局７＿１は、セル７０＿１を備える。セル７０＿１は、セル４０＿１〜４０＿３から構成される位置登録エリア（以下、「位置登録エリアＢ」という）とは異なる位置登録エリア（以下、「位置登録エリアＡ」という）を構成するセルである。
【０１１３】
端末８は、端末５の所有者の通信機器であり、上位ネットワーク３と接続される。
【０１１４】
上述した以外の構成は、第１の実施の形態におけるシステムと同じであるので、同一の符号を付して説明を省略する。
【０１１５】
（２）第２の実施形態のシステムを構成する各装置の機能について
端末５は、３ＧＰＰに準拠して動作するので、電源投入時だけでなく、別の位置登録エリアに移動した時にも位置登録メッセージを送信する機能を備える。
【０１１６】
ＭＭＥ６は、ＭＭＥ１と同じ機能を備える。さらに、ＭＭＥ６は、本実施形態において新たな機能を備えるが、その機能については、後述の[動作の説明]にて詳細に説明するものとする。
【０１１７】
基地局７＿１は、基地局４＿１〜４＿３と同じ機能を備える。
【０１１８】
端末８は、一般的なメーラーを備え、メールを受信すると、予め設定された着信音を鳴らす機能を備える。
【０１１９】
上述した以外の機能は、第１の実施の形態におけるシステムと同じである。
【０１２０】
[動作の説明]
本実施形態のシステムの動作を説明する。図１２は、本発明の第２の実施の形態におけるシステムの動作概略を説明する為の図である。図１３は、本発明の第２の実施の形態におけるシステムの動作詳細を説明する為の図である。図１２、図１３を用いて、本実施形態のシステムの動作を以下に説明する。
【０１２１】
（１）動作概要
端末５は、図１２に示されるように、位置登録エリアＢから別の位置登録エリアＡに移動したとき、位置登録メッセージを送信する。ＭＭＥ６は、受信した位置登録メッセージに含まれるセルＩＤが、ＨＳＳに登録されているセルＩＤと異なっているか判別することで、端末５が移動しているか否かを判別する。ＭＭＥ６は、端末５が移動していると判別した場合には、その旨を端末８（端末５を所有する者の端末）に通知する。
【０１２２】
上述の「（１）動作概要」の動作は、端末５、基地局７＿１、ＭＭＥ６、及び端末８が以下の「（２）動作詳細」に示す動作を行うことで実現される。
【０１２３】
（２）動作詳細
まず、端末５がセル４０＿１に在圏している時に、上述のＳ１〜Ｓ７が実施され、ＨＳＳ２に、端末５を示す端末識別子、セル４０＿１を示すセルＩＤ、及び固定情報が対応づけて記憶されているものとする。
【０１２４】
その後、盗難により端末５がセル７０＿１に移動したとする。すなわち、別の位置登録エリアＡに移動したとする。
【０１２５】
その場合も、端末５は、図１３に示されるように、位置登録メッセージを送信する（Ｓ１）。このとき、端末５は、位置登録メッセージに、自機が在圏するセル７０＿１を示すセルＩＤが含めて送信する。
【０１２６】
次に、基地局７＿１は、端末５からの位置登録メッセージをＭＭＥ６に送信する（Ｓ２）。
【０１２７】
次に、ＭＭＥ６は、上述のＳ３〜Ｓ６を実施し、Ｓ６において、受信した位置登録メッセージから端末５を示す端末識別子、端末５が位置するセル７０＿１を示すセルＩＤ、及び固定情報を抽出する（Ｓ６）。
【０１２８】
次に、ＭＭＥ６は、Ｓ６で抽出したセルＩＤ（セル７０＿１を示すセルＩＤ）と、既にＨＳＳ２に記憶されるセルＩＤ（セル４０＿１を示すセルＩＤ）と、が異なるのか否かを判別する（Ｓ２０）。
【０１２９】
端末５が移動しているか判別する為である。Ｓ２０の処理は、具体的には、以下の（イ）、（ロ）の通りの処理である。
【０１３０】
（イ）ＭＭＥ６は、Ｓ６で抽出した端末識別子に対応するセルＩＤ（すなわち、セル４０＿１を示すセルＩＤ）をＨＳＳ２から抽出する。
【０１３１】
（ロ）次に、ＭＭＥ６は、Ｓ６で抽出したセルＩＤと、（イ）で抽出したセルＩＤと、が異なるのか否かを判別する。
【０１３２】
上述の「Ｓ６で抽出したセルＩＤ」はセル７０＿１を示すセルＩＤであり、上述の「（イ）で抽出したセルＩＤ」は、セル４０＿１を示すセルＩＤである。その為、ＭＭＥ６は、Ｓ２０において、Ｓ６で抽出したセルＩＤ（セル７０＿１を示すセルＩＤ）と、（イ）で抽出したセルＩＤ（セル４０＿１を示すセルＩＤ）と、が異なると判別する。
【０１３３】
次に、ＭＭＥ６は、図１３に示されるように、Ｓ６で抽出したセルＩＤと、（イ）で抽出したセルＩＤと、が異なると判別した場合（Ｓ２０でＹｅｓの場合）は、端末５が移動しているので、端末８宛てのメールを送信する（Ｓ２１）。
【０１３４】
上述の端末８宛てのメールには、端末５が移動していることを示す文字列、盗難されているかもしれないことを示す文字列、Ｓ２０の（イ）で抽出したセルＩＤが含まれる。端末８のユーザが、端末５が移動していることと、現在端末５がどのセルに位置しているか把握できるようにする為である。
【０１３５】
端末８は、メールを受信すると、着信音を鳴らす（Ｓ２２）。
【０１３６】
上述の着信音は、「あなたが所持する端末５が移動しています。盗難されているかもしれません」という着信音であってもよい。
【０１３７】
さらに、端末８は、メーラーにより、受信したメールを表示する（Ｓ２３）。
【０１３８】
端末８のユーザは、メールを確認し、端末５が盗難された可能性に気づく事ができる。そして、端末８のユーザ（すなわち、端末５の所有者）は、警察に電話する等の対処を行い、盗難されたことが疑われる端末５の早期発見に努めることができる。
【０１３９】
上述のＳ２１の後、ＭＭＥ６は、ＨＳＳ内のセルＩＤを最新の状態に更新する（Ｓ２４）。
【０１４０】
具体的には、ＭＭＥ６は、ＨＳＳ２内に記憶している情報のうち、Ｓ６で抽出した端末識別子に対応するセルＩＤを、Ｓ６で抽出したセルＩＤ（セル７０＿１を示すセルＩＤ）に更新する。なお、ＭＭＥ６は、Ｓ２０でＮｏの場合もＳ２４の処理を行う。
【０１４１】
（３）バリエーション動作（端末５の移動を判別する動作のバリエーション）
上記では、ＭＭＥ６は、端末５が移動したことを、セルＩＤを用いて判別した。ＭＭＥ６は、端末５が移動したことを、位置登録エリア情報を用いて判別してもよい。具体的には、ＭＭＥ６は、Ｓ３とＳ４の処理の間に、以下の（ｉ）〜（ｉｉｉ）の処理を行ってもよい。
【０１４２】
（ｉ）Ｓ３の後、ＭＭＥ６は、Ｓ３で抽出した位置登録エリア情報と、ＨＳＳ２に記憶される位置登録エリア情報と、が異なるのか否かを判別する。
【０１４３】
具体的には、ＭＭＥ６は、Ｓ３で抽出した端末識別子に対応する位置登録エリア情報（以下、「記憶する位置登録エリア情報」という）をＨＳＳ２から抽出する。そして、ＭＭＥ６は、Ｓ３で抽出した位置登録エリア情報と、記憶する位置登録エリア情報と、が異なるのか否かを判別する。
【０１４４】
（ｉｉ）次に、ＭＭＥ６は、Ｓ３で抽出した位置登録エリア情報と、記憶する位置登録エリア情報と、が異なると判別した場合には、Ｓ２１の処理を行い、端末８宛てにメールを送信する。端末８宛てのメールには、端末５が移動していることを示すものである。
【０１４５】
（ｉｉｉ）ＭＭＥ６は、Ｓ３で抽出した位置登録エリア情報と、記憶する位置登録エリア情報と、が同じ場合、若しくは上述の（ｉｉ）を実施した後は、Ｓ４の処理を行う。
【０１４６】
（４）バリエーション動作（端末動作のバリエーション）
端末５は、一定間隔毎に、位置登録メッセージを送信する端末であってもよい。その場合、ＭＭＥ６は、一定間隔毎に、上述のＳ３〜Ｓ６、Ｓ２０〜Ｓ２１、及びＳ２４の処理を行い、端末５がセルを移動したか否かを判別する。
【０１４７】
上述した以外の動作は、第１の実施の形態におけるシステムの動作と同じであるので、省略する。
【０１４８】
［効果の説明］
本実施形態のシステムでは、端末５の所有者は、盗難されたことが疑われる端末５の早期発見に努めることができる。
【０１４９】
なぜなら、本実施形態のシステムは、今回通知された（端末５が位置するセルを示す）セルＩＤと、前回通知されたものと、が異なっているか否かにより端末５の移動の有無を判別し、移動している場合は、端末５の所有者が持つ端末８に通知を行うからである。通知は、端末５が移動していることを知らせる通知である。
【０１５０】
端末８のユーザ（すなわち、端末５の所有者）は、端末５が盗難された可能性に気づき、警察に電話する等の対処を行うことができる。その結果、端末５の所有者は、盗難されたことが疑われる端末５の早期発見に努めることができる。
【０１５１】
また、本実施形態のシステムは、第１の実施形態のシステムと同様に、端末５に対するページング信号の送信量を十分に抑制できる。なぜなら、本実施形態のシステムは、第１の実施形態のシステムと同じく、固定端末である端末５については、端末５が在圏するセルにのみページング信号を送信するからである。
【０１５２】
≪第３の実施の形態≫
図１４は、本発明の第３の実施の形態におけるシステムの構成例を示す図である。以下に、第３の実施の形態のシステムの構成と動作について説明する。
【０１５３】
［構成の説明］
（１）第３の実施形態のシステムの構成
第３の実施形態のシステムは、図１４に示されるように、装置１００と、基地局１１０〜１１１と、端末１２０と、を備える。基地局１１０〜１１１は、各々、セル１１５〜１１６を備える。
【０１５４】
（２）装置１００について
装置１００は、（セル１１５〜１１６を備える）複数の基地局１１０〜１１１の少なくともいずれかを介して端末１２０と接続される装置である。装置１００は、無線回線を介して端末１２０と接続されてもよい。装置１００は、判別部１０１と呼出部１０２を備える。
【０１５５】
（３）端末１２０について
端末１２０は、所定位置に位置する特定端末である。
【０１５６】
端末１２０は、第１の実施形態のシステムの端末５と同様に、基地局１１０のセル１１５内の同じ所定位置に留まる固定端末であってもよい。その場合、端末１２０は、セル１１５に在圏する。特定端末１２０は、基地局１１０のセル１１５内にある工場の床に固定された（移動することのない）機械に取り付けられた端末であってもよい。
【０１５７】
また、端末１２０は、所定位置に留まる固定端末ではなく、基地局１１０のセル１１５内の所定位置に一時的に位置する端末であってもよい。その場合、端末１２０は、一時的にセル１１５に在圏する。
【０１５８】
（４）装置１００を構成する機能部の機能
装置１００の判別部１０１は、端末１２０宛ての着信呼が入力されると、端末１２０が、所定位置に位置する特定端末か否かを判別する第１の判別を行う。
【０１５９】
装置１００の呼出部１０２は、上述の第１の判別の結果が肯定的である場合には、端末１２０が在圏するセル１１５を備える所定の基地局１１０にのみ、端末１２０を呼び出すページング信号を送信する。
【０１６０】
（５）判別部１０１と呼出部１０２について
判別部１０１と呼出部１０２は、第１の実施形態のシステムにおいて説明した判別部１２と呼出部１３に相当する。判別部１０１と呼出部１０２は、判別部１２や呼出部１３と同様に、ＣＰＵ等の演算処理装置、及びＲＡＭ等の一般的なメモリを用いて実現することができる。
【０１６１】
[動作の説明]
次に、本実施形態のシステムの動作を説明する。端末１２０は、基地局１１０のセル１１５内の所定位置に位置する特定端末であるものとする。
【０１６２】
まず、装置１００に、接続する上位装置（図示せず）から端末１２０宛に着信があったとする。具体的には、装置１００に、端末１２０宛ての着信呼が入力されたとする。
【０１６３】
装置１００の判別部１０１は、端末１２０宛ての着信呼が入力されると、端末１２０が、所定位置に位置する特定固定端末か否かを判別する第１の判別を行う。
【０１６４】
端末１２０は、基地局１１０のセル１１５内の所定位置に位置する特定端末であるので、装置１００の判別部１０１は、端末１２０が所定位置に位置する特定端末であるとする肯定的な第１の判別を行ったものとする。
【０１６５】
装置１００の呼出部１０２は、上述の第１の判別の結果が肯定的である場合には、端末１２０が在圏するセル１１５を備える所定の基地局１１０にのみ、端末１２０を呼び出すページング信号を送信する。
【０１６６】
基地局１１０は、一般的な基地局であり、受信したページング信号をセル１１５内に送信する。
【０１６７】
その結果、本実施形態のシステムは、特定端末１２０が在圏するセルにのみページング信号が送信されることとなる。
【０１６８】
［効果の説明］
本実施形態によれば、システムは、所定位置に位置する特定端末１２０に対するページング信号の送信量を十分に抑制できる。
【０１６９】
なぜならば、本実施形態のシステムは、端末１２０への着信があった場合、該端末１２０が所定位置に位置する特定端末（例えば所定位置に留まる端末）か否かを判別し、特定端末と判別した場合、該端末１２０が在圏するセルにのみページング信号を送信するからである。本実施形態のシステムは、特許文献１のシステムと異なり、特定端末１２０が在圏するセル以外のセルには無駄にページング信号を送信しない。その結果、本実施形態のシステムは、特定端末１２０に対するページング信号の送信量を十分に抑制することができる。
【０１７０】
なお、上述した実施の形態は、その形態に限定されるものではなく、実施段階ではその要旨を逸脱しない範囲で種々変更可能である。
【０１７１】
さらに、上記の各実施形態の一部又は全部は、以下の付記のようにも記載されうるが、以下には限られない。
（付記１）
セルを備える複数の基地局の少なくともいずれかを介して端末と接続される装置であって、
前記端末宛ての着信呼が入力されると、前記端末が、所定位置に位置する特定端末か否かを判別する第１の判別を行う判別部と、
前記第１の判別の結果が肯定的である場合には、前記端末が在圏する前記セルを備える所定の前記基地局にのみ、前記端末を呼び出すページング信号を送信する呼出部と、を備える、
ことを特徴とする装置。
（付記２）
前記端末を示す端末識別子、前記端末が前記特定端末であることを示す特定情報、及び前記端末が在圏するセルを示すセル識別子を対応づけて記憶する位置登録部を備え、
前記第１の判別は、入力された着信呼から抽出した前記端末識別子に対応して前記特定情報を記憶しているか否かの判別であり、
前記所定の基地局は、前記セル識別子が示すセルを備える基地局である、
ことを特徴とする付記１に記載の装置。
（付記３）
前記位置登録部は、前記基地局を介して前記端末より受信した位置登録メッセージから抽出した前記端末識別子、前記特定情報、及び前記セル識別子を対応づけて記憶手段に記憶し、
前記第１の判別は、前記着信呼から抽出した前記端末識別子に対応して前記特定情報を前記記憶手段に記憶しているか否かの判別であり、
前記所定の基地局は、前記着信呼から抽出した前記端末識別子に対応して前記記憶手段に記憶される前記セル識別子が示すセルを備える基地局である、
ことを特徴とする付記２に記載の装置。
（付記４）
前記端末の所有者が保持する通信機器と接続され、
前記位置登録部は、受信した前記位置登録メッセージから抽出した前記端末識別子に対応して前記記憶手段に記憶される前記セル識別子と、受信した前記位置登録メッセージから抽出した前記セル識別子と、が異なるか否かを判別する第２の判別を行い、
前記呼出部は、前記第２の判別の結果が肯定的である場合には、前記端末の移動を知らせる信号を前記通信機器に送信する、
ことを特徴とする付記３に記載の装置。
（付記５）
前記位置登録部は、受信した前記位置登録メッセージから抽出した、前記端末が位置するエリアを示す位置登録エリア情報及び前記端末識別子を対応づけて前記記憶手段に記憶し、新たに受信した前記位置登録メッセージから前記位置登録エリア情報及び前記端末識別子を抽出すると、抽出した前記位置登録エリア情報と、抽出した前記端末識別子と対応づけて前記記憶手段に記憶する前記位置登録エリア情報と、が異なるか否かを判別する第３の判別を行い、
前記呼出部は、前記第３の判別の結果が肯定的である場合には、前記端末の移動を知らせる信号を前記通信機器に送信する、
ことを特徴とする付記４に記載の装置。
（付記６）
前記特定端末は、前記所定位置に留まる端末である、
ことを特徴とする付記１乃至５のいずれか１項に記載の装置。
（付記７）
前記装置は、ＭＭＥ（Ｍｏｂｉｌｉｔｙ  Ｍａｎａｇｅｍｅｎｔ  Ｅｎｔｉｔｙ）である、
ことを特徴とする付記１乃至６のいずれか１項に記載の装置。
（付記８）
付記１乃至７のいずれか１項に記載の装置と、前記基地局と、を含む、
ことを特徴とするシステム。
（付記９）
前記端末を含む、
ことを特徴とする付記８に記載のシステム。
（付記１０）
前記端末は、所定の契機に、前記端末識別子と、前記特定情報と、前記セル識別子と、を前記位置登録メッセージに含めて送信する端末である、
ことを特徴とする付記３乃至５のいずれか１項を引用する付記９に記載のシステム。
（付記１１）
セルを備える複数の基地局の少なくともいずれかを介して端末と接続される装置の処理方法であって、
前記端末宛ての着信呼が入力されると、前記端末が、所定位置に位置する特定端末か否かを判別する第１の判別を行う判別ステップと、
前記第１の判別の結果が肯定的である場合には、前記端末が在圏する前記セルを備える所定の前記基地局にのみ、前記端末を呼び出すページング信号を送信する呼出ステップと、
を有することを特徴とする方法。
（付記１２）
前記端末を示す端末識別子、前記端末が前記特定端末であることを示す特定情報、及び前記端末が在圏するセルを示すセル識別子を対応づけて記憶する位置登録ステップ、を有し、
前記第１の判別は、入力された着信呼から抽出した前記端末識別子に対応して前記特定情報を記憶しているか否かの判別であり、
前記所定の基地局は、前記セル識別子が示すセルを備える基地局である、
ことを特徴とする付記１１に記載の方法。
（付記１３）
前記位置登録ステップにおいては、前記基地局を介して前記端末より受信した位置登録メッセージから抽出した前記端末識別子、前記特定情報、及び前記セル識別子を対応づけて記憶手段に記憶し、
前記第１の判別は、前記着信呼から抽出した前記端末識別子に対応して前記特定情報を前記記憶手段に記憶しているか否かの判別であり、
前記所定の基地局は、前記着信呼から抽出した前記端末識別子に対応して前記記憶手段に記憶される前記セル識別子が示すセルを備える基地局である、
ことを特徴とする付記１２に記載の方法。
（付記１４）
前記位置登録ステップにおいては、受信した前記位置登録メッセージから抽出した前記端末識別子に対応して前記記憶手段に記憶される前記セル識別子と、受信した前記位置登録メッセージから抽出した前記セル識別子と、が異なるか否かを判別する第２の判別を行い、
前記呼出ステップにおいては、前記第２の判別の結果が肯定的である場合には、前記端末の移動を知らせる信号を、前記端末の所有者が保持する通信機器に送信する、
ことを特徴とする付記１３に記載の方法。
（付記１５）
前記位置登録ステップにおいては、受信した前記位置登録メッセージから抽出した、前記端末が位置するエリアを示す位置登録エリア情報及び前記端末識別子を対応づけて前記記憶手段に記憶し、新たに受信した前記位置登録メッセージから前記位置登録エリア情報及び前記端末識別子を抽出すると、抽出した前記位置登録エリア情報と、抽出した前記端末識別子と対応づけて前記記憶手段に記憶する前記位置登録エリア情報と、が異なるか否かを判別する第３の判別を行い、
前記呼出ステップにおいては、前記第３の判別の結果が肯定的である場合には、前記端末の移動を知らせる信号を前記通信機器に送信する、
ことを特徴とする付記１４に記載の方法。
（付記１６）
セルを備える複数の基地局の少なくともいずれかを介して端末と接続される装置に実装されたプロセッサに、
前記端末宛ての着信呼が入力されると、前記端末が、所定位置に位置する特定端末か否かを判別する第１の判別を行う判別処理と、
前記第１の判別の結果が肯定的である場合には、前記端末が在圏する前記セルを備える所定の前記基地局にのみ、前記端末を呼び出すページング信号を送信する呼出処理と、
を行わせるためのプログラム。
（付記１７）
前記端末を示す端末識別子、前記端末が前記特定端末であることを示す特定情報、及び前記端末が在圏するセルを示すセル識別子を対応づけて記憶する位置登録処理を前記プロセッサに行わせ、
前記第１の判別は、入力された着信呼から抽出した前記端末識別子に対応して前記特定情報を記憶しているか否かの判別であり、
前記所定の基地局は、前記セル識別子が示すセルを備える基地局である、
ことを特徴とする付記１６に記載のプログラム。
（付記１８）
前記位置登録処理においては、前記基地局を介して前記端末より受信した位置登録メッセージから抽出した前記端末識別子、前記特定情報、及び前記セル識別子を対応づけて記憶手段に記憶し、
前記第１の判別は、前記着信呼から抽出した前記端末識別子に対応して前記特定情報を前記記憶手段に記憶しているか否かの判別であり、
前記所定の基地局は、前記着信呼から抽出した前記端末識別子に対応して前記記憶手段に記憶される前記セル識別子が示すセルを備える基地局である、
ことを特徴とする付記１７に記載のプログラム。
（付記１９）
前記位置登録処理においては、受信した前記位置登録メッセージから抽出した前記端末識別子に対応して前記記憶手段に記憶される前記セル識別子と、受信した前記位置登録メッセージから抽出した前記セル識別子と、が異なるか否かを判別する第２の判別を行う処理と、
前記呼出処理においては、前記第２の判別の結果が肯定的である場合には、前記端末の移動を知らせる信号を、前記端末の所有者が保持する通信機器に送信する処理と、
を前記プロセッサに行わせるための付記１８に記載のプログラム。
（付記２０）
前記位置登録処理においては、受信した前記位置登録メッセージから抽出した、前記端末が位置するエリアを示す位置登録エリア情報及び前記端末識別子を対応づけて前記記憶手段に記憶し、新たに受信した前記位置登録メッセージから前記位置登録エリア情報及び前記端末識別子を抽出すると、抽出した前記位置登録エリア情報と、抽出した前記端末識別子と対応づけて前記記憶手段に記憶する前記位置登録エリア情報と、が異なるか否かを判別する第３の判別を行う処理と、
前記呼出処理においては、前記第３の判別の結果が肯定的である場合には、前記端末の移動を知らせる信号を前記通信機器に送信する処理と、
を前記プロセッサに行わせるための付記１９に記載のプログラム。
【符号の説明】
【０１７２】
１、６    ＭＭＥ
２    ＨＳＳ
３    上位ネットワーク
４＿１〜４＿３、７＿１、９２、９３、１１０〜１１１    基地局
５、８、１２０    端末
４０＿１〜４０＿３、７０＿１、１１５〜１１６    セル
９０    位置管理サーバ
９１    交換機
９４    移動機
９０１    記憶部
１００    装置
１０１    判別部
１０２    呼出部
【図１】
2018056897.tif 000003
【図２】
2018056897.tif 000004
【図３】
2018056897.tif 000005
【図４】
2018056897.tif 000006
【図５】
2018056897.tif 000007
【図６】
2018056897.tif 000008
【図７】
2018056897.tif 000009
【図８】
2018056897.tif 000010
【図９】
2018056897.tif 000011
【図１０】
2018056897.tif 000012
【図１１】
2018056897.tif 000013
【図１２】
2018056897.tif 000014
【図１３】
2018056897.tif 000015
【図１４】
2018056897.tif 000016